(57)【要約】水を付着させることによって形成される文字や絵柄が光輝性を有する像として視認される遊戯性に富む描画玩具１は、透光性支持体３の表面に、低屈折率顔料をバインダー樹脂に分散状態に固着させた、吸液状態と非吸液状態で透明性が異なる多孔質層４を設けてなる描画体２と、該描画体の裏面に光照射する光源５とから少なくともなる。描画玩具セットは描画玩具１と水付着具１５とから構成される。
2007086609.tif 000002
【特許請求の範囲】
【請求項１】
透光性支持体の表面に、低屈折率顔料をバインダー樹脂に分散状態に固着させた、吸液状態と非吸液状態で透光性が異なる多孔質層を設けてなる描画体と、該描画体の裏面に光照射する光源とから少なくともなる描画玩具。
【請求項２】
前記透光性支持体中及び／又は多孔質層中に色剤を含んでなる請求項１記載の描画玩具。
【請求項３】
前記透光性支持体と多孔質層の間及び／又は透光性支持体の裏面に色剤を含む非変色層を設けてなる請求項１記載の描画玩具。
【請求項４】
前記色剤が蛍光顔料、蛍光染料、蛍光増白顔料、蛍光増白染料から選ばれる請求項２又は３記載の描画玩具。
【請求項５】
前記透光性支持体が光源を収容してなる請求項１に記載の描画玩具。
【請求項６】
前記光源を収容する容器を有してなり、前記容器は描画体を配置する部分に光源からの光を透過する透光部を備えてなる請求項１に記載の描画玩具。
【請求項７】
前記光源を収容する容器を有してなり、前記容器は光源からの光を描画体の裏面に光照射する開口部を設けてなり、前記開口部に描画体を着脱自在に構成してなる請求項１に記載の描画玩具。
【請求項８】
前記開口部に透光性部材を設けてなり、透光性部材上に描画体を配置してなる請求項７記載の描画玩具。
【請求項９】
前記透光性部材が着色されてなる請求項８記載の描画玩具。
【請求項１０】
前記光源を収容する容器を有してなり、前記容器は光源からの光を描画体の裏面に光照射する開口部を設けてなり、前記開口部に描画体を固着してなる請求項１に記載の描画玩具。
【請求項１２】
複数の色調の異なる光源を有してなる請求項１に記載の描画玩具。
【請求項１３】
光源の色調を変化させる着色フィルターを有してなる請求項１に記載の描画玩具。
【請求項１４】
光源と描画体間に配設する透光性図柄シートを有してなる請求項１に記載の描画玩具。
【請求項１５】
光源と描画体間に配設する透光性シートと、前記透光性シートに消去可能な筆記像を形成する筆記具を有してなる請求項１に記載の描画玩具。
【請求項１６】
前記容器内に、光源からの光を反射及び／又は屈折させる光学部材を収容してなる請求項６乃至７の何れか一項に記載の描画玩具。
【請求項１７】
光源から照射される光が、可視光及び／又は紫外光を含む光である請求項１に記載の描画玩具。
【請求項１８】
請求項１に記載の描画玩具と、水付着具とからなる描画玩具セット。
【請求項１９】
請求項６乃至８の何れか一項に記載の描画玩具と、水付着具とからなる描画玩具セット。
【発明の詳細な説明】
【技術分野】
【０００１】
本発明は水の付着により光輝性を有する文字や絵柄等の像を形成できる描画玩具及びそれを用いた描画玩具セットに関する。
【背景技術】
【０００２】
従来、支持体上に低屈折率顔料をバインダー樹脂に分散状態に固着させた、吸液状態と非吸液状態で透明性が異なる多孔質層を設けた水像シートが開示されている（例えば、日本特公昭６３−５８７１１号公報参照）。
前記シートは、多孔質層が乾燥状態（非吸液状態）においては下層が隠蔽され、多孔質層に水等の液体を吸液させると透明化して下層の色調による文字や絵柄等の像を形成できるものである。
又、各種支持体にプリントされる微粒子状珪酸と虹彩色パール顔料を含む感湿変色性捺染剤が提案されている（例えば、日本特開平１−２６００７５号公報参照）。
前記感湿変色性捺染剤は、乾燥状態では微粒子状珪酸による白色を呈し、水に濡れた状態では微粒子状珪酸が透明化して虹彩色パール顔料の色調が視認できるものの、前記虹彩色パール顔料による色調は、一般染料や顔料による色調と比べて鮮明ではなく、しかも虹彩色パール顔料の色調を十分に視認するためには支持体の色調が黒色及至暗色に制限されるといった不具合を生じる。
発明が解決しようとする課題
本発明は、前記多孔質層に水を付着させて文字や絵柄等の像を形成する描画玩具であって、形成される像に光輝性を付与して商品性及び遊戯性を高めた描画玩具及びそれを用いた描画玩具セットを提供するものである。
【発明の開示】
【０００３】
本発明は、透光性支持体の表面に、低屈折率顔料をバインダー樹脂に分散状態に固着させた、吸液状態と非吸液状態で透明性が異なる多孔質層を設けてなる描画体と、該描画体の裏面に光照射する光源とから少なくともなる描画玩具を要件とする。
更に、好ましくは、本発明は前記透光性支持体中及び／又は多孔質層中に色剤を含んでなること、前記透光性支持体と多孔質層の間及び／又は透光性支持体の裏面に色剤を含む非変色層を設けてなること、前記色剤が蛍光顔料、蛍光染料、蛍光増白顔料、蛍光増白染料から選ばれること、前記透光性支持体が光源を収容してなること、前記光源を収容する容器を有してなり、前記容器は描画体を配置する部分に光源からの光を透過する透光部を備えてなること、前記光源を収容する容器を有してなり、前記容器は光源からの光を描画体の裏面に光照射する開口部を設けてなり、前記開口部に描画体を着脱自在に構成してなること、前記開口部に透光性部材を設けてなり、透光性部材上に描画体を配置してなること、前記透光性部材が着色されてなること、前記光源を収容する容器を有してなり、前記容器は光源からの光を描画体の裏面に光照射する開口部を設けてなり、前記開口部に描画体を固着してなること、複数の描画体を有してなること、複数の色調の異なる光源を有してなること、光源の色調を変化させる着色フィルターを有してなること、光源と描画体間に配設する透光性図柄シートを有してなること、光源と描画体間に配設する透光性シートと、前記透光性シートに消去可能な筆記像を形成する筆記具を有してなること、前記容器内に、光源からの光を反射及び／又は屈折させる光学部材を収容してなること、光源から照射される光が、可視光及び／又は紫外光のいずれかであること等を要件とする。
更に、本発明は別の態様では、前記描画玩具と、水付着具とからなる描画玩具セットを要件とする。
本発明によれば、多孔質層に水を付着させることによって形成される文字や絵柄等の像が裏面より光照射されるため、該像が有する色調と光があいまって光輝性を有する像として視認されることから、商品価値が高く、しかも、遊戯性に富む描画玩具及びそれを用いた描画玩具セットを提供できる。
本発明によれば、描画体に形成された乾燥状態の多孔質層に水を付着させて吸液状態にすると、前記多孔質層が乾燥状態よりも透光性を示し、描画体の裏面を光源により光照射することによって吸液部分の像が光輝性を有して視認される描画玩具が提供される。
前記描画体を構成する透光性支持体は光透過性を有する材質であれば全て用いることができ、ガラス、プラスチック、織物、編物、組物、不織布等の布帛、磁器、紙等が挙げることができる。
なお、前記プラスチックとしては、ポリエチレン、ポリプロピレン、ポリビニルクロライド、ポリエチレンテレフタレート、ポリメチルメタクリレート、ポリアクリレート、ポリスチレン、ポリカーボネート、セルローストリアセテート、セルロースジアセテート、ポリビニルアルコール、ポリアミド等のプラスチック成形体やプラスチックシートを例示できるが、柔軟性に富み、且つ、安全性に優れたポリエチレン、ポリプロピレン、ポリエチレンテレフタレート、ポリビニルクロライド等のプラスチックシートが好適に用いられる。
前記支持体は透光性を有していれば無色透明の他、半透明であってもよいし、着色透明であってもよい。
前記透光性支持体上に設けられる多孔質層は、低屈折率顔料をバインダー樹脂と共に分散状態に固着させた層であり、乾燥状態と吸液状態で透明性が異なる層である。
前記低屈折率顔料としては、好ましくは、珪酸及びその塩、バライト粉、硫酸バリウム、炭酸バリウム、炭酸カルシウム、石膏、クレー、タルク、アルミナホワイト、炭酸マグネシウム等が挙げられ、これらは屈折率が１．４〜１．８の範囲にあり、水を吸液すると良好な透明性を示すものである。
なお、前記珪酸の塩としては、珪酸アルミニウム、珪酸アルミニウムカリウム、珪酸アルミニウムナトリウム、珪酸アルミニウムカルシウム、珪酸カリウム、珪酸カルシウム、珪酸カルシウムナトリウム、珪酸ナトリウム、珪酸マグネシウム、珪酸マグネシウムカリウム等が挙げることができる。
又、前記低屈折率顔料は２種以上を併用することもできる。
前記低屈折率顔料の粒径は特に限定されるものではないが、０．０３〜１０．０μｍのものが好適に用いられる。
尚、好適に用いられる低屈折率顔料としては珪酸が挙げられる。
前記珪酸は、乾式法により製造させる珪酸であってもよいが、湿式法により製造される珪酸（以下、湿式法珪酸と称する）が特に効果的であり、この点を説明すると、珪酸は非晶質の無定形珪酸として製造され、その製造方法により、四塩化ケイ素等のハロゲン化ケイ素の熱分解等の気相反応を用いる乾式法によるもの（以下、乾式法珪酸と称する）と、ケイ酸ナトリウム等の酸による分解等の液相反応を用いる湿式法によるものとに大別され、乾式法珪酸と湿式法珪酸とでは構造が異なり、前記乾式法珪酸は珪酸が密に結合した三次元構造を形成するのに対して、湿式法珪酸は、珪酸が縮合して長い分子配列を形成した、所謂、二次元構造部分を有している。
従って、前記乾式法珪酸と比較して分子構造が粗になるため、湿式法珪酸を多孔質層に適用した場合、乾式法珪酸を用いる系と比較して乾燥状態における光の乱反射性に優れ、よって、常態での隠蔽性が大きくなるものと推察される。
又、前記多孔質層においては、水を吸液させるものであるから、湿式法珪酸は乾式法珪酸に比べて粒子表面にシラノール基として存在する水酸基が多く、親水性の度合いが大であり、好適に用いられる。
尚、前記多孔質層の常態での隠蔽性と吸液状態での透明性を調整するために、湿式法珪酸と共に、他の汎用の低屈折率顔料を併用することもできる。
前記多孔質層中の低屈折率顔料は、粒子径、比表面積、吸油量等の性状に左右されるが、常態での隠蔽性と吸液状態での透明性を共に満足するためには、塗布量が１ｇ／ｍ２〜３０ｇ／ｍ２であることが好ましく、より好ましくは、５ｇ／ｍ２〜２０ｇ／ｍ２である。１ｇ／ｍ２未満では、常態で十分な隠蔽性を得ることが困難であり、又、３０ｇ／ｍ２を越えると吸液時に十分な透明性を得ることが困難である。
前記低屈折率顔料はバインダー樹脂を結合剤として含むビヒクル中に分散され、透光性支持体に塗布した後、揮発分を乾燥させて多孔質層を形成する。
前記バインダー樹脂としては、ウレタン系樹脂、ナイロン樹脂、酢酸ビニル樹脂、アクリル酸エステル樹脂、アクリル酸エステル共重合樹脂、アクリルポリオール樹脂、塩化ビニル−酢酸ビニル共重合樹脂、マレイン酸樹脂、ポリエステル樹脂、スチレン樹脂、スチレン共重合樹脂、ポリエチレン樹脂、ポリカーボネート樹脂、エポキシ樹脂、スチレン−ブタジエン共重合樹脂、アクリロニトリル−ブタジエン共重合樹脂、メタクリル酸メチル−ブタジエン共重合樹脂、ブタジエン樹脂、クロロプレン樹脂、メラミン樹脂、及び前記各樹脂エマルジョン、カゼイン、澱粉、セルロース誘導体、ポリビニルアルコール、尿素樹脂、フェノール樹脂等が挙げられる。
前記低屈折率顔料とこれらのバインダー樹脂の混合比率は、低屈折率顔料の種類及び性状に左右されるが、好ましくは、低屈折率顔料１重量部に対してバインダー樹脂固形分０．５〜２重量部であり、より好ましくは、低屈折率顔料１重量部に対して０．８〜１．５重量部である。低屈折率顔料１重量部に対してバインダー樹脂固形分が０．５重量部未満の場合には、前記多孔質層の実用的な皮膜強度を得ることが困難であり、低屈折率顔料１重量部に対して、バインダー樹脂固形分が２重量部を越える場合には、前記多孔質層内部への水の浸透性が悪くなる。
前記多孔質層は、一般的な塗膜と比較して着色剤に対するバインダー樹脂の混合比率が小さいため、十分な皮膜強度が得られ難い。そこで、耐擦過強度を高めるために、前記のバインダー樹脂のうち、ナイロン樹脂又はウレタン系樹脂を用いると効果的である。
前記ウレタン系樹脂としては、ポリエステル系ウレタン樹脂、ポリカーボネート系ウレタン樹脂、ポリエーテル系ウレタン樹脂等があり、２種以上を併用することもできる。又、前記樹脂が水に乳化分散したウレタン系エマルジョン樹脂や、イオン性を有するウレタン樹脂（ウレタンアイオノマー）自体のイオン基により乳化剤を必要とすることなく自己乳化して、水中に溶解乃至分散したコロイド分散型（アイオノマー型）ウレタン樹脂を用いることもできる。
尚、前記ウレタン系樹脂は水性ウレタン系樹脂又は油性ウレタン系樹脂のいずれを用いることもできるが、本発明においては水性ウレタン系樹脂、殊に、ウレタン系エマルジョン樹脂やコロイド分散型ウレタン系樹脂が好適に用いられる。
前記ウレタン系樹脂は単独で用いることもできるが、透光性支持体の種類や皮膜に必要とされる性能に応じて、他のバインダー樹脂を併用することもできる。ウレタン系樹脂以外のバインダー樹脂を併用する場合、実用的な皮膜強度を得るためには、前記多孔質層のバインダー樹脂中にウレタン系樹脂を固形分重量比率で３０％以上含有させることが好ましい。
前記バインダー樹脂において、架橋性のものは任意の架橋剤を添加して架橋させることにより、さらに皮膜強度を向上させることができる。
前記バインダー樹脂には、水との親和性に大小が存在するが、これらを組み合わせることにより、多孔質層中への浸透時間、浸透度合い、浸透後の乾燥の遅速を調整することができる。更には、適宜分散剤や界面活性剤を添加して前記調整をコントロールすることができる。
前記多孔質層は、スクリーン印刷、オフセット印刷、グラビヤ印刷、コーター、タンポ印刷、転写等の印刷手段、刷毛塗り、スプレー塗装、静電塗装、電着塗装、流し塗り、ローラー塗り、浸漬塗装等により透光性支持体上に形成できる。
前記のようにして得られる描画体には、透光性支持体中や多孔質層中に色剤を含有させて着色透光性とし、色変化を多彩にすることもできる。
また、前記透光性支持体と多孔質層の間、透光性支持体の裏面に色剤を含む非変色層（着色透光層）を設けることによっても色変化を多彩にすることもできる。
前記色剤は、一般の有色染料や顔料の他、蛍光顔料や蛍光染料を用いることもできる。
なお、描画玩具を構成する描画体は単一であってもよいし、色調の異なる色剤で彩色された複数の描画体を有してもよい。
本発明においては、前記描画体の裏面に光照射する光源を有する。
前記光源は白熱電球やハロゲン電球、蛍光灯、メタハライドランプ、ナトリウムランプ、水銀ランプ等の放電灯、発光ダイオード、レーザー光、紫外線ランプ等が挙げることができる。
前記光源は描画体の裏面に直接光照射する構成に限らず、光源からの光を反射又は屈折させる光学部材を介して描画体の裏面に間接的に光照射して光を可能な限り描画体の裏面に照射できる構成が好ましい。
また、光源は常時点燈するものに限らず、点滅したり、常時点燈と点滅を切り替え可能に構成して変化性を付与したり、或いは、光源自体が移動したり、回転して変化性を付与することもできる。
なお、透光性支持体中や多孔質層中に蛍光顔料、蛍光染料、蛍光増白顔料、蛍光増白染料から選ばれる色剤をブレンドした描画体や、透光性支持体と多孔質層の間、或いは、透光性支持体の裏面に蛍光顔料、蛍光染料、蛍光増白顔料、蛍光増白染料から選ばれる色剤を含む非変色層を設けた描画体を用いる場合、光源として紫外光を含む光を照射できる光源、具体的には蛍光灯や紫外線を含む発光ダイオード、紫外線ランプを用いることにより、光輝性を有する蛍光色の像を形成でき、商品性をいっそう高めることができる。
前記光源は、外部に露出した構成であってもよいし、容器等に収容した構成であってもよい。
容器内に収容する場合、光源の取り付け位置は特に限定されるものではなく、容器の底部に設ける他、容器の側面に設けてもよい。
容器の材質としてプラスチック、ガラス、ゴム、金属、木材、陶磁器、石材等の材質が挙げることができる。
なお、容器等は別部材により構成する他、多孔質層を支持する透光性支持体自体が光源を収容する容器形状であってもよい。
以下に光源を収容する別部材からなる容器の構造を示す。
前記容器としては、中空形状の容器が挙げられ、内部に光源を収容してなる。
具体的には、容器に光源を収容し、前記容器に光源からの光を描画体の裏面に光照射する開口部を設けてなり、前記開口部に描画体を固着した構成が挙げられる。
更に、容器に光源を収容し、前記容器に光源からの光を描画体の裏面に光照射する開口部を設けてなり、前記開口部に描画体を着脱自在に構成することもできる。
この場合、描画体を構成する透光性支持体は像形成性を容易にする硬質樹脂成形体の板状体であることが好ましい。
更に、前記開口部に透光性部材を設け、透光性部材上に描画体を配置する構成が挙げられ、描画体がフィルム、布等の軟質体であっても適用できる。
なお、前記透光性部材が着色透明性である場合、透光性部材上に描画体を配置して多孔質層に水を吸液させることで光源とは色調の異なる光輝性の像を視認することができる。
更に、色調の異なる複数の透光性部材を着脱自在に構成し、透光性部材上に描画体を配置して多孔質層に水を吸液させることで光源とは色調の異なる様々な光輝性の像を視認することができる。
また、容器が透光性を有していれば、開口部を有していなくても容器表面に描画体を配置して多孔質層に水を吸液させることで光輝性の像を視認することができる。
前記容器の描画体を固着又は配置する以外の箇所は、透明、半透明、着色透明、光遮蔽の他、光遮蔽部分と光透過部分が混在する容器であってもよい。
前記したように、複数の描画体を有したり、色調の異なる複数の透光性部材を有することによって、様々な色調の光輝性の像を視認することができるが、光源の色調を変化させることによっても同様の様々な光輝性の像を視認することが可能になる。
光源の色調を変化させる手段としては、複数の色調の異なる光源を設けて単一の光源を選択的に発光させたり、同時に複数の光源を発光させる構成、或いは、光源の色調を変化させる着色フィルターを設けて光源と描画体間に介在させる構成を挙げることができる。
更に、光源と描画体間に介在させる透光性図柄シートを設けることにより、塗り絵やなぞり書きに適した描画玩具が得られる。
前記透光性図柄シートは、透光性シートに各種文字、記号、図形、絵柄等の図柄を設けたものであり、適宜輪郭像を設けた透光性図柄シートが好適である。なお、前記輪郭像内を透光性の着色剤により着色した透光性図柄シートであってもよい。
また、光源と描画体間に配設する透光性シートと、前記透光性シートに消去可能な筆記像を形成する筆記具を有することにより、所望の塗り絵やなぞり書きを可能にする描画玩具が得られる。
前記消去可能な筆記像を形成する筆記具としては、顔料と、有機溶剤や水等の媒体と、樹脂と、剥離剤とを少なくとも含有するインキを収容した筆記板用マーキングペンが好適に用いられる。
前記光源を発光させるための電源としては、コンセントから供給したり、或いは、乾電池等の電源を利用する方法が挙げられるが、本体内に電源を収容する構成が電気を供給するコードが邪魔にならず好適である。
前記乾電池は一次電池或いは二次電池のいずれであってもよいし、太陽電池から電気を得ることもできる。
また、必要によりスイッチを設けることもできる。
前記描画体の多孔質層に水を付着させる手段としては、手や指を水で濡らして接触させる他、先端部に筆穂や繊維ペン体等を有する筆記又は塗布具により水を塗布させたり、容器内に水を収容し、且つ、容器内の水を導出する繊維体や刷毛を設けた筆記具又は塗布具により水を塗布する水付着具や、スタンプやローラー形態の水付着具を用いることができる。
前記水付着具と、描画玩具とを組み合わせて描画玩具セットが得られる。
なお、好ましい水付着具としては、連続気孔を有するプラスチック多孔体又は繊維加工体をペン先部材として適用した筆記具又は塗布具であり、筆記像を簡便に形成でき、実用性を高めることができる。
前記における連続気孔を有するプラスチック多孔体又は繊維加工体は、水を適宜量、吸収し、吐出させるものであればよく、ポリオレフィン系、ポリウレタン系、その他各種プラスチックの連続気孔体や繊維を集束させた毛筆状のもの、繊維の樹脂加工又は熱溶着加工によるもの、フェルト、不織布形態のものを挙げることができ、形状、寸法は目的に応じて任意に設定できる。
更に、前記水を付着させる筆記具又は塗布具と共に、ステンシルを備えることによって、簡便に像を形成することができる。
【図面の簡単な説明】
【０００４】
図１は、本発明の描画玩具の一実施例の縦断面図である。
図２は、本発明の描画玩具の他の実施例の縦断面図である。
図３は、本発明の描画玩具の一実施例の縦断面図である。
図４は、本発明の描画玩具の他の実施例の縦断面図である。
図５は、本発明の描画玩具の他の実施例の縦断面図である。
図６は、本発明の実施例１から９による描画玩具と水付着具とから成る描画玩具セットの描画状態を示す模式的斜視図である。
【発明を実施するための最良の形態】
【０００５】
以下に実施例を示すが、本発明は実施例に限定されない。尚、実施例中の部は重量部を示す。
【実施例１】
【０００６】
（図１参照）
無色透明のアクリル樹脂からなる中空直方体形状の透明性支持体３上面に、湿式法珪酸〔商品名：ニップシールＥ−２００、日本シリカ工業（株）製〕１５部、ウレタンエマルジョン〔商品名：ハイドランＨＷ−３５０、大日本インキ化学工業（株）製、固形分３０％〕５０部、水４０部、シリコーン系消泡剤０．５部、エポキシ樹脂系架橋剤１部を均一に混合、攪拌してなる白色スプレー用インキを用いてスプレー塗装し、７０℃で５分間乾燥硬化させて多孔質層４を形成して描画体２を得た。
前記描画体２の内部に光源５として白熱電球、電源として乾電池を収容して描画玩具１を得た。
なお、前記光源と電源は電気的に接続させてなる。
前記描画玩具１は、多孔質層が乾燥状態では白色を呈しており、多孔質層に水を付着させると透明化して像が形成され、前記像は光源からの光が裏面より照射されるため、光輝性を有する像として視認される。
更に、多孔質層が乾燥するにつれて像は視認されなくなる。再び多孔質層に水を付着させると光輝性を有する像が視認される。
この様相変化は繰り返し行なうことができた。
前記描画玩具１と、水付着具として先端部に繊維ペン体１３等を有し、軸筒１５内に水を収容可能に構成したペン１７とを組み合わせて、図６に示すような描画玩具セット１９を得た。
前記描画玩具セットは、多孔質層に水を収容した前記ペンを用いて筆記すると、光輝性を有する筆記像２１が視認される。
更に、多孔質層が乾燥するにつれて筆記像２１は視認されなくなり、再び多孔質層に水を付着させると光輝性を有する筆記像が視認される。
この様相変化は繰り返し行なうことができた。
【実施例２】
【０００７】
無色透明のアクリル樹脂からなる中空直方体形状の透明性支持体上面に、湿式法珪酸〔商品名：ニップシールＥ−２００、日本シリカ工業（株）製〕１５部、ウレタンエマルジョン〔商品名：ハイドランＨＷ−３５０、大日本インキ化学工業（株）製、固形分３０％〕５０部、水４０部、シリコーン系消泡剤０．５部、エポキシ樹脂系架橋剤１部を均一に混合、攪拌してなる白色スプレー用インキを用いてスプレー塗装し、７０℃で５分間乾燥硬化させて多孔質層を形成して描画体を得た。
前記描画体の内部には光源として白熱電球、光を反射させる反射材、光を拡散させるレンズ、光源の色調を可変させる青色、赤色、黄色の透明性フィルムを備えた円盤状着色フィルター、電源として乾電池を収容して描画玩具を得た。
なお、前記光源と電源は電気的に接続させてなる。
前記描画玩具は、多孔質層が乾燥状態では白色を呈しており、多孔質層に水を付着させると透明化して像が形成され、前記像は光源からの光が反射材とレンズにより効率的且つ均一に裏面に照射され、光輝性を有する像として視認される。
前記像は、着色フィルターの回転によって選択的に色調が変化して青色、赤色、黄色の光輝性を有する像が視認される。
更に、多孔質層が乾燥するにつれて像は視認されなくなり、再び多孔質層に水を付着させると光輝性を有する像が視認される。
この様相変化は繰り返し行なうことができた。
前記描画玩具１と、水付着具として先端部に繊維ペン体１３等を有し、軸筒１５内に水を収容可能に構成したペン１７とを組み合わせて、図６に示すような描画玩具セット１９を得た。
前記描画玩具セットは、多孔質層に水を収容した前記ペンを用いて筆記すると、青色、赤色、黄色の光輝性を有する筆記像が視認される。
更に、多孔質層が乾燥するにつれて筆記像は視認されなくなり、再び多孔質層に水を付着させると光輝性を有する筆記像が視認される。
この様相変化は繰り返し行なうことができた。
【実施例３】
【０００８】
（図２参照）
乳白色アクリル樹脂からなる板状の透光性支持体３（厚さ３ｍｍ）表面に、湿式法珪酸〔商品名：ニップシールＥ−２００、日本シリカ工業（株）製〕１５部、ウレタンエマルジョン〔商品名：ハイドランＨＷ−３５０、大日本インキ化学工業（株）製、固形分３０％〕５０部、水４０部、シリコーン系消泡剤０．５部、水系インキ用増粘剤３部、エチレングリコール１部、イソシアネート系架橋剤３部を均一に混合、攪拌してなる白色スクリーン印刷用インキを用いて、１００メッシュのスクリーン版にて全面にベタ印刷し、７０℃で５分間乾燥硬化させて多孔質層４を形成して描画体２を得た。
次いで、白色ポリプロピレン樹脂からなる開口部６ａを有する中空容器６に、光源５として青色、赤色、黄色の各白熱電球、光を反射させる反射材、光を拡散させるレンズ、電源として乾電池を収容し、容器の開口部に描画体を固着して描画玩具１を得た。
なお、前記光源と電源は電気的に接続させてなる。
前記のようにして構成された描画玩具１は、多孔質層が乾燥状態では白色を呈しており、多孔質層に水を付着させると半透明化して像が形成され、前記像は光源からの光が反射材とレンズにより効率的に裏面より照射され、光輝性を有する像として視認される。
前記像は、光源の選択によって色調が変化して青色、赤色、黄色の光輝性を有する像が視認される。
また、光源を点滅させたり、青色、赤色、黄色の光源を順次点灯させることにより、変化性を付与した像が視認できる。
更に、多孔質層が乾燥するにつれて像は視認されなくなり、再び多孔質層に水を付着させると光輝性を有する像が視認される。
この様相変化は繰り返し行なうことができた。
前記描画玩具１と、水付着具として先端部に繊維ペン体１３等を有し、軸筒１５内に水を収容可能に構成したペン１７とを組み合わせて、図６に示すような描画玩具セット１９を得た。
前記描画玩具セットは、多孔質層に水を収容した前記ペンを用いて筆記すると、青色、赤色、黄色の光輝性を有する筆記像が視認される。
更に、多孔質層が乾燥するにつれて筆記像は視認されなくなり、再び多孔質層に水を付着させると光輝性を有する筆記像が視認される。
この様相変化は繰り返し行なうことができた。
【実施例４】
【０００９】
青色透明ポリカーボネート樹脂からなる板状の透光性支持体（厚さ２ｍｍ）表面に、湿式法珪酸〔商品名：ニップシールＥ−２００Ａ、日本シリカ工業（株）製〕１５部、ウレタンエマルジョン〔商品名：ハイドランＨＷ−３５０、大日本インキ化学工業（株）製、固形分３０％〕５０部、水４０部、シリコーン系消泡剤０．５部、水系インキ用増粘剤３部、エチレングリコール１部、イソシアネート系架橋剤３部を均一に混合、攪拌してなる白色スクリーン印刷用インキを用いて、１００メッシュのスクリーン版にて全面にベタ印刷し、７０℃で５分間乾燥硬化させて多孔質層を形成し、水の適用により白色から青色に変色する描画体Ａを得た。
これとは別に、赤色透明ポリカーボネート樹脂からなる板状の透光性支持体（厚さ２ｍｍ）表面に、前記と同様の白色スクリーン印刷用インキを用いて多孔質層を形成し、水の適用により白色から赤色に変色する描画体Ｂを得た。
次いで、白色ポリプロピレン樹脂からなる開口部を有する中空容器に、光源として白熱電球、光を反射させる反射材、光を拡散させるレンズ、電源として乾電池を収容し、容器の開口部に描画体Ａと描画体Ｂを着脱自在にして描画玩具を得た。
なお、前記光源と電源は電気的に接続させてなる。
前記描画玩具は、描画体Ａを容器の開口部に載置した状態で多孔質層が乾燥状態では白色を呈しており、多孔質層に水を付着させると半透明化して像が形成され、前記像は光源からの光が反射材とレンズにより効率的に裏面より照射され、光輝性を有する青色の像として視認される。
更に、多孔質層が乾燥するにつれて像は視認されなくなり、再び多孔質層に水を付着させると光輝性を有する像が視認される。
次に、描画体Ｂを容器の開口部に載置した状態で多孔質層に水を付着させると半透明化して像が形成され、前記像は光源からの光が反射材とレンズにより効率的に裏面より照射され、光輝性を有する赤色の像として視認される。
更に、多孔質層が乾燥するにつれて像は視認されなくなり、再び多孔質層に水を付着させると光輝性を有する像が視認される。
この様相変化は繰り返し行なうことができた。
前記描画玩具１と、水付着具として先端部に繊維ペン体１３等を有し、軸筒１５内に水を収容可能に構成したペン１７とを組み合わせて、図６に示すような描画玩具セット１９を得た。
前記描画玩具セットは、多孔質層に水を収容した前記ペンを用いて筆記すると、青色、或いは、赤色の光輝性を有する筆記像が視認される。
更に、多孔質層が乾燥するにつれて筆記像は視認されなくなり、再び多孔質層に水を付着させると光輝性を有する筆記像が視認される。
この様相変化は繰り返し行なうことができた。
【実施例５】
【００１０】
（図３参照）
無色透明ポリエチレンテレフタレート樹脂からなるシート状の透光性支持体３（厚さ１００μｍ、３０ｃｍ×４０ｃｍ）表面に、湿式法珪酸〔商品名：ニップシールＥ−２００、日本シリカ工業（株）製〕１５部、ウレタンエマルジョン〔商品名：ハイドランＨＷ−９３０、大日本インキ化学工業（株）製、固形分５０％〕３０部、水５０部、シリコーン系消泡剤０．５部、水系インキ用増粘剤３部、エチレングリコール１部、ブロックイソシアネート系架橋剤３部を均一に混合、攪拌してなる白色スクリーン印刷用インキを用いて、１００メッシュのスクリーン版にて全面にベタ印刷し、１３０℃で５分間乾燥硬化させて多孔質層４を形成して描画体２を得た。
次いで、白色ポリプロピレン樹脂からなる開口部を有する中空容器６に、光源５として蛍光灯、光を反射させる反射材、電源として乾電池を収容し、容器の開口部に３枚の透光性部材７それぞれを着脱自在にして描画玩具１を得た。
なお、前記透光性部材は、青色、赤色、黄色の各透明性ポリカーボネート樹脂からなる板状体である。
前記光源と電源は電気的に接続させてなる。
前記描画玩具は、青色の透光性部材を容器の開口部にセットし、その上に描画体を載置した状態で多孔質層が乾燥状態では白色を呈しており、多孔質層に水を付着させると透明化して像が形成され、前記像は光源からの光が反射材により効率的に裏面より照射され、透光性部材の色調とあいまって光輝性を有する青色の像として視認される。
更に、多孔質層が乾燥するにつれて像は視認されなくなり、再び多孔質層に水を付着させると光輝性を有する像が視認される。
前記像は、透光性部材を取り替えることによって赤色、黄色の光輝性を有する像が視認され、青色と黄色の透光性部材を重ねてセットすると緑色の光輝性を有する像も視認できる。
この様相変化は繰り返し行なうことができた。
前記描画玩具１と、水付着具として先端部に繊維ペン体１３等を有し、軸筒１５内に水を収容可能に構成したペン１７とを組み合わせて、図６に示すような描画玩具セット１９を得た。
前記描画玩具セットは、前記３色の透光性部材の任意の１色を、或いは２色以上を重ねて開口部に装着し、多孔質層に水を収容した前記ペンを用いて筆記すると、透光性部材の色調とあいまって青色、赤色、黄色、緑色、紫色、橙色等の光輝性を有する筆記像が視認される。
更に、多孔質層が乾燥するにつれて筆記像は視認されなくなり、再び多孔質層に水を付着させると光輝性を有する筆記像が視認される。
この様相変化は繰り返し行なうことができた。
【実施例６】
【００１１】
撥水処理されたピンク色ナイロンタフタ生地からなる透光性支持体（目付量７０ｇ／ｍ２、４０ｃｍ×５０ｃｍ）表面に、湿式法微粉末シリカ〔商品名：ニップシールＥ−２２０、日本シリカ工業（株）製〕１５部、ウレタンエマルジョン〔商品名：ハイドランＡＰ−１０、大日本インキ化学工業（株）製、固形分３０重量％〕４５部、水４０部、シリコーン系消泡剤０．５部、水系インキ用増粘剤３部、エチレングリコール１部、及びブロックイソシアネート系架橋剤３部を均一に混合攪拌してなる白色のスクリーン印刷用インキを用いて、１００メッシュのスクリーン版にて全面ベタ印刷し、１３０℃で５分間乾燥硬化させて多孔質層を形成し、水の適用により白色からピンク色に変色する描画体Ｃを得た。
これとは別に、撥水処理された青色ナイロンタフタ生地からなる透光性支持体（目付量７０ｇ／ｍ２、４０ｃｍ×５０ｃｍ）表面に、前記と同様のスクリーン印刷用インキを用いて、１００メッシュのスクリーン版にて全面ベタ印刷し、１３０℃で５分間乾燥硬化させて多孔質層を形成し、水の適用により白色から青色に変色する描画体Ｄを得た。
次いで、白色ポリプロピレン樹脂からなる開口部を有する中空容器に、光源として蛍光灯、光を反射させる反射材、電源コード、容器の開口部に透光性部材（２枚）を着脱自在にして描画玩具を得た。
なお、前記透光性部材は、無色と黄色の各透明性ポリカーボネート樹脂からなる板状体である。
前記光源と電源コードは電気的に接続させてなり、外部より電源コード先端に設けたコンセントを介して電気を供給可能に構成されてなる。
前記描画玩具は、無色の透光性部材を容器の開口部にセットし、その上に描画体Ｃを載置した状態で多孔質層が乾燥状態では白色を呈しており、多孔質層に水を付着させると透明化して像が形成され、前記像は光源からの光が反射材により効率的に裏面より照射され、光輝性を有するピンク色の像として視認される。
前記多孔質層が乾燥するにつれて像は視認されなくなり、再び多孔質層に水を付着させると光輝性を有する像が視認される。
次いで、描画体Ｄを載置して同様の操作を行うと光輝性を有する青色の像として視認される。
更に、黄色の透光性部材を容器の開口部にセットし、その上に描画体Ｃを載置した状態で多孔質層が乾燥状態では白色を呈しており、多孔質層に水を付着させると透明化して像が形成され、前記像は透光性部材の黄色と描画体のピンク色が混色となった光輝性を有する橙色の像として視認される。
描画体Ｄを載置して同様の操作を行うと透光性部材の黄色と描画体の青色が混色となった光輝性を有する緑色の像として視認される。
この様相変化は繰り返し行なうことができた。
前記描画玩具１と、水付着具として先端部に繊維ペン体１３等を有し、軸筒１５内に水を収容可能に構成したペン１７とを組み合わせて、図６に示すような描画玩具セット１９を得た。
前記描画玩具セットは、多孔質層に水を収容した前記ペンを用いて筆記すると、透光性部材の色調とあいまって青色、ピンク色、橙色、緑色の光輝性を有する筆記像として視認される。
更に、多孔質層が乾燥するにつれて筆記像は視認されなくなり、再び多孔質層に水を付着させると光輝性を有する筆記像が視認される。
この様相変化は繰り返し行なうことができた。
【実施例７】
【００１２】
（図４参照）
撥水処理された白色ポリエステルタフタ生地（目付量８０ｇ／ｍ２、４０ｃｍ×４０ｃｍ）からなる透光性支持体３表面に、ピンク色顔料１５部、アクリル酸エステルエマルジョン５０部、水性インキ増粘剤３部、レベリング剤０．５部、消泡剤０．３部、及びブロックイソシアネート系架橋剤５部を均一に混合攪拌してピンク色スクリーン印刷用インキを用いて、１２０メッシュのスクリーン版によりベタ印刷し、１３０℃で５分間乾燥硬化させて非変色層８を設けた。
次いで、前記非変色層８上に、湿式法微粉末シリカ〔商品名：ニップシールＥ−２２０、日本シリカ工業（株）製〕１５部、ウレタンエマルジョン〔商品名：ハイドランＡＰ−１０、大日本インキ化学工業（株）製、固形分３０重量％〕４５部、水４０部、シリコーン系消泡剤０．５部、水系インキ用増粘剤３部、エチレングリコール１部、及びブロックイソシアネート系架橋剤３部を均一に混合攪拌してなる白色のスクリーン印刷用インキを用いて、１００メッシュのスクリーン版にて全面ベタ印刷し、１３０℃で５分間乾燥硬化させて多孔質層４を形成し、水の適用により白色からピンク色に変色する描画体２を得た。
ついで、透明性アクリル樹脂からなる直方体の中空容器６側面を赤色塗料で塗装して着色層９を設けた後、内部に光源５として蛍光灯、光源の色調を可変させる無色、青色、黄色の透明性フィルムを備えた円筒状着色フィルター１０、光を反射させる反射材、光を拡散させるレンズ、電源として乾電池を収容し、描画体を上面に配置可能な描画玩具１を得た。
なお、前記光源と電源は電気的に接続させてなる。
前記描画玩具は、配置した描画体の多孔質層が乾燥状態では白色を呈しており、多孔質層に水を付着させると透明化して像が形成され、前記像は光源からの光が反射材とレンズにより効率的に裏面より照射され、光輝性を有する像として視認される。
前記像は、着色フィルターの回転によって選択的に色調が変化してピンク色、ピンク色と青色が混色となった紫色、ピンク色と黄色が混色となった橙色の光輝性を有する像が視認される。
更に、多孔質層が乾燥するにつれて像は視認されなくなり、再び多孔質層に水を付着させると光輝性を有する像が視認される。
この様相変化は繰り返し行なうことができた。
前記描画玩具１と、水付着具として先端部に繊維ペン体１３等を有し、軸筒１５内に水を収容可能に構成したペン１７とを組み合わせて、図６に示すような描画玩具セット１９を得た。
前記描画玩具セットは、多孔質層に水を収容した前記ペンを用いて筆記すると、ピンク色、紫色、橙色の光輝性を有する筆記像として視認される。
更に、多孔質層が乾燥するにつれて筆記像は視認されなくなり、再び多孔質層に水を付着させると光輝性を有する筆記像が視認される。
この様相変化は繰り返し行なうことができた。
【実施例８】
【００１３】
透明性軟質ポリ塩化ビニル樹脂からなるシート状の透光性支持体（厚さ２ｍｍ、５０ｃｍ×５０ｃｍ）表面に、湿式法珪酸〔商品名：ニップシールＥ−２００、日本シリカ工業（株）製〕１５部、ウレタンエマルジョン〔商品名：ハイドランＡＰ−２０、大日本インキ化学工業（株）製、固形分３０％〕５０部、水４０部、シリコーン系消泡剤０．５部、水系インキ用増粘剤３部、エチレングリコール１部、イソシアネート系架橋剤１部を均一に混合、攪拌してなる白色スクリーン印刷用インキを用いて、１００メッシュのスクリーン版にて全面にベタ印刷し、５０℃で６０分間乾燥硬化させて多孔質層を形成して描画体を得た。
次いで、黒色ポリプロピレン樹脂からなる開口部を有する中空容器に、光源として白色、青色、赤色、黄色の各発光ダイオード、光を拡散させるレンズ、電源として乾電池を収容し、容器の開口部に４枚の透光性部材それぞれを着脱自在にして描画玩具を得た。
なお、前記前記透光性部材は、無色、青色、赤色、緑色それぞれの透明性ポリカーボネート樹脂からなる板状体である。
前記光源と電源は電気的に接続させてなる。
前記描画玩具は、配置した描画体の多孔質層が乾燥状態では白色を呈しており、多孔質層に水を付着させると透明化して像が形成され、前記像は光源からの光がレンズにより効率的に裏面より照射され、光輝性を有する像として視認される。
前記像は、光源の選択及び透光性基材の選択によって様々な色調の光輝性を有する像が視認される。
更に、多孔質層が乾燥するにつれて像は視認されなくなり、再び多孔質層に水を付着させると光輝性を有する像が視認される。
この様相変化は繰り返し行なうことができた。
前記描画玩具１と、水付着具として先端部に繊維ペン体１３等を有し、軸筒１５内に水を収容可能に構成したペン１７とを組み合わせて、図６に示すような描画玩具セット１９を得た。
前記描画玩具セットは、多孔質層に水を収容した前記ペンを用いて筆記すると、様々な色調の光輝性を有する筆記像が視認される。
更に、多孔質層が乾燥するにつれて筆記像は視認されなくなり、再び多孔質層に水を付着させると光輝性を有する筆記像が視認される。
この様相変化は繰り返し行なうことができた。
【実施例９】
【００１４】
透明性ポリエチレンテレフタレート樹脂からなるシート状の透光性支持体（厚さ１００μｍ、３０ｃｍ×４０ｃｍ）表面に、蛍光ピンク色顔料１５部、アクリル酸エステルエマルジョン５０部、水性インキ増粘剤３部、レベリング剤０．５部、消泡剤０．３部、及びブロックイソシアネート系架橋剤５部を均一に混合攪拌して蛍光ピンク色スクリーン印刷用インキを用いて、１５０メッシュのスクリーン版によりベタ印刷し、１３０℃で５分間乾燥硬化させて非変色層を設けた。
ついで、前記非変色層上に、湿式法珪酸〔商品名：ニップシールＥ−２００、日本シリカ工業（株）製〕１５部、ウレタンエマルジョン〔商品名：ハイドランＨＷ−９３０、大日本インキ化学工業（株）製、固形分５０％〕３０部、水５０部、シリコーン系消泡剤０．５部、水系インキ用増粘剤３部、エチレングリコール１部、ブロックイソシアネート系架橋剤３部を均一に混合、攪拌してなる白色スクリーン印刷用インキを用いて、１００メッシュのスクリーン版にて全面にベタ印刷し、１３０℃で５分間乾燥硬化させて多孔質層を形成して描画体を得た。
次いで、黒色ポリプロピレン樹脂からなる開口部を有する中空容器に、光源として蛍光灯とブラックライト、光を反射させる反射材、電源として乾電池を収容し、容器の開口部に２枚の透光性部材それぞれを着脱自在にして描画玩具を得た。
なお、前記透光性部材は、無色、青色の各透明性ポリカーボネート樹脂からなる板状体である。
前記光源と電源は電気的に接続させてなる。
前記描画玩具は、蛍光灯を点灯させた後、透明性基材をセットして描画体を配置すると、多孔質層が乾燥状態では白色を呈しており、多孔質層に水を付着させると透明化して像が形成され、前記像は光源からの光が反射材により効率的に裏面より照射され、光輝性を有する蛍光ピンク色の像として視認される。
この状態でブラックライトを点灯させると、いっそう蛍光性に富んだピンク色の光輝性を有する像が視認される。
前記像は、青色の透明性基材をセットして同様の操作を行うことにより、光輝性を有する蛍光紫色の像、いっそう蛍光性に富んだ紫色の光輝性を有する像が視認できる。
更に、多孔質層が乾燥するにつれて像は視認されなくなり、再び多孔質層に水を付着させると光輝性を有する像が視認される。
この様相変化は繰り返し行なうことができた。
前記描画玩具１と、水付着具として先端部に繊維ペン体１３等を有し、軸筒１５内に水を収容可能に構成したペン１７とを組み合わせて、図６に示すような描画玩具セット１９を得た。
前記描画玩具セットは、多孔質層に水を収容した前記ペンを用いて筆記すると、蛍光ピンク色、蛍光紫色の光輝性を有する筆記像として視認される。
更に、多孔質層が乾燥するにつれて筆記像は視認されなくなり、再び多孔質層に水を付着させると光輝性を有する筆記像が視認される。
この様相変化は繰り返し行なうことができた。
【実施例１０】
【００１５】
（図５参照）
無色透明ポリエチレンテレフタレート樹脂からなるシート状の透光性支持体３（厚さ１００μｍ、３０ｃｍ×４０ｃｍ）表面に、湿式法珪酸〔商品名：ニップシールＥ−２００、日本シリカ工業（株）製〕１５部、ウレタンエマルジョン〔商品名：ハイドランＨＷ−９３０、大日本インキ化学工業（株）製、固形分５０％〕３０部、水５０部、シリコーン系消泡剤０．５部、水系インキ用増粘剤３部、エチレングリコール１部、ブロックイソシアネート系架橋剤３部を均一に混合、攪拌してなる白色スクリーン印刷用インキを用いて、１００メッシュのスクリーン版にて全面にベタ印刷し、１３０℃で５分間乾燥硬化させて多孔質層４を形成して描画体２を得た。
次いで、白色ポリプロピレン樹脂からなる開口部を有する中空容器６に、光源５として蛍光灯、光を反射させる反射材１１、電源として乾電池を収容し、容器の開口部に透光性部材７と、透光性部材７上に描画体を固定する枠体を設けて描画玩具１を得た。
前記描画玩具と、水付着具として先端部に繊維ペン体等を有し、軸筒内に水を収容可能に構成したペンと、花の絵柄を印刷した透光性図柄シート１２を組み合わせて描画玩具セットを得た。
なお、前記透光性図柄シートの花の絵柄は、黒色の花の輪郭像と、輪郭内の花の部位を透光性インクによりピンク色に着色した絵柄である。
前記描画玩具セットは、透光性部材上に透光性図柄シートと描画体を順次配置して枠体で固定した後、光源を点灯させると、描画体を透して花の絵柄を視認できる。
前記花の絵柄部分に位置する多孔質層に水を収容したペンを用いて筆記すると、黒色の輪郭で描かれた鮮やかなピンク色の花柄が視認される。
更に、多孔質層が乾燥するにつれてピンク色の花の絵柄は視認され難くなり、再び多孔質層に水を付着させると鮮やかな花の絵柄が視認される。
この様相変化は繰り返し行なうことができた。
【実施例１１】
【００１６】
無色透明ポリエチレンテレフタレート樹脂からなるシート状の透光性支持体（厚さ１００μｍ、３０ｃｍ×４０ｃｍ）表面に、湿式法珪酸〔商品名：ニップシールＥ−２００、日本シリカ工業（株）製〕１５部、ウレタンエマルジョン〔商品名：ハイドランＨＷ−９３０、大日本インキ化学工業（株）製、固形分５０％〕３０部、水５０部、シリコーン系消泡剤０．５部、水系インキ用増粘剤３部、エチレングリコール１部、ブロックイソシアネート系架橋剤３部を均一に混合、攪拌してなる白色スクリーン印刷用インキを用いて、１００メッシュのスクリーン版にて全面にベタ印刷し、１３０℃で５分間乾燥硬化させて多孔質層を形成して描画体を得た。
次いで、白色ポリプロピレン樹脂からなる開口部を有する中空容器に、光源として蛍光灯、光を反射させる反射材、電源として乾電池を収容し、容器の開口部に透光性部材と、透光性部材上に描画体を固定する枠体を設けて描画玩具を得た。
前記描画玩具と、水付着具として先端部に繊維ペン体等を有し、軸筒内に水を収容可能に構成したペンと、透光性シートと、消去可能な筆記像を形成する筆記具（筆記板用マーキングペン）を組み合わせて描画玩具セットを得た。
前記描画玩具セットは、透光性シートに筆記板用マーキングペンを用いて星の輪郭像を形成した後、透光性部材上に前記透光性シートと描画体を順次配置して枠体で固定し、光源を点灯させると、描画体を透して星の輪郭像を視認できる。
前記星の輪郭像内に位置する多孔質層に水を収容したペンを用いて筆記すると、光輝性を有する星の絵柄が視認される。
ついで、透光性シートを取り外して星の輪郭像を布帛で擦過して消去し、再び筆記板用マーキングペンを用いてハート型の輪郭像を形成した後、透光性部材上に前記透光性シートと描画体を順次配置して枠体で固定し、光源を点灯させると、描画体を透してハート型の輪郭像を視認できる。
前記ハート型の輪郭像内に位置する多孔質層に水を収容したペンを用いて筆記すると、光輝性を有するハート型の絵柄が視認される。
更に、多孔質層が乾燥するにつれて光輝性を有するハート型の絵柄は視認されなくなり、再び多孔質層に水を付着させると光輝性を有するハート型の絵柄が視認される。
この様相変化は繰り返し行なうことができた。
【図１】
2007086609.tif 000003
【図２】
2007086609.tif 000004
【図３】
2007086609.tif 000005
【図４】
2007086609.tif 000006
【図５】
2007086609.tif 000007
【図６】
2007086609.tif 000008
【国際調査報告】
2007086609.tif 000009
2007086609.tif 000010
2007086609.tif 000011
2007086609.tif 000012